(57)【要約】【課題】1極型の分岐ブレーカが配設されても2極型の分岐ブレーカが配設されても分岐バーを取り替える必要がなく、容易に対応することができる分電盤を提供する。【解決手段】内器ブロック２は箱体１内で複数の分岐ブレーカ２０を有する。複数の分岐バー２３〜２６は内器ブロック２の入力端子４側に沿うように配置され分岐接続部３２とねじ挿通孔を有する。主幹バー２７〜３０は分岐バー２３〜２６の長手方向に延びる長孔４３を有する。接続ねじ４９は分岐バーのねじ挿通孔と主幹バーの長孔４３に挿通される。ナットは接続ねじ４９の先端に螺合する螺合部を中心から分岐バーの長手方向に偏心している。絶縁部材５２はナット５６を反転可能に収納する収納凹所を有する。【選択図】図１
2006271173.tif 000002
【特許請求の範囲】
【請求項１】
箱体と、この箱体内で列設された複数の分岐ブレーカを有しその各分岐ブレーカの入力端子が列の一側に並びかつ出力端子が反対側に並ぶ内器ブロックと、前記箱体内に配置された主幹ブレーカと、前記内器ブロックの前記入力端子側に沿うように配置されて前記分岐ブレーカの前記入力端子に接続される分岐接続部を有する複数の分岐バーと、前記主幹ブレーカの各極の出力端子に接続される複数の主幹バーと、前記複数の分岐バーおよび前記複数の主幹バーをそれぞれ接続する複数の接続ねじおよびナットと、前記ナットを回転不能でかつ反転可能に収納するナット収納部を形成した部材と備え、
前記分岐バーは前記接続ねじを挿通させる第１のねじ挿通部を有し、
前記主幹バーは前記第１のねじ挿通部に整合して前記接続ねじを挿通させるとともに前記接続ねじが移動可能に前記分岐バーの長手方向に延びた第２のねじ挿通部を有し、
前記ナットは前記接続ねじの先端に螺合する螺合部を中心から前記分岐バーの長手方向に偏心した位置に形成し、前記ナットの反転により前記分岐接続部を前記分岐バーの長手方向に移動可能としたことを特徴とする分電盤。  
【請求項２】
前記分岐バーは、細長状の導電板により形成され、その幅方向が箱体の底板に対向する方向に配置され、前記第１のねじ挿通部は前記分岐バーに折曲された主幹接続部に形成されている請求項１記載の分電盤。
【請求項３】
前記複数の主幹バーは前記分岐バーに交差する方向に延びるとともに、前記内器ブロックの前記分岐ブレーカの並び方向の一端側に配置され、
前記複数の分岐バーは、前記内器ブロックの前記分岐ブレーカの入力端子に接近離間する方向に並設され、
前記複数の分岐バーと前記主幹バーとの接続関係において、前記複数の分岐バーのうちの一つの分岐バーの前記入力端子と反対側に隣接する他の分岐バーは、前記一つの分岐バーが接続される一つの主幹バーの前記分岐ブレーカの並び方向の他端側に隣接する他の主幹バーと、接続される関係を有する請求項２記載の分電盤。
【請求項４】
前記複数の主幹バーは個々に隔離収納する複数の収納部を有した絶縁部材に支持され、
前記絶縁部材は前記箱板の底板と前記内器ブロックの間で前記内器ブロックに取付けられ、
前記主幹バーは前記絶縁部材と前記内器ブロックとの間に配置されている請求項４記載の分電盤。              
【請求項５】
前記ナット収納部を有する前記部材は前記絶縁部材と一体であり、前記ナット収納部はナットを収納するナット収納凹所と、前記ナット収納凹所に連通して前記接続ねじのねじ部の先端が位置するねじ遊挿凹所と、前記箱体の底板側に突出するねじ配設突部とを有し、前記ねじ配設突部は前記内器ブロックに前記絶縁部材を取着した状態で前記箱体の底板に当接する位置まで突出されている請求項４記載の分電盤。
【発明の詳細な説明】
【技術分野】
【０００１】
この発明は、例えば主幹ブレーカと複数の分岐ブレーカとを横並びに並設した分電盤に関する。
【背景技術】
【０００２】
一般に、単相3線式配線路に用いられる分電盤にあっては、特許文献1に示すように、中央の分岐バーを中性極とするとともにその両側の2本の分岐バーを電圧極として3本の分岐バーを有し、これら3本の分岐バーの両側に各分岐ブレーカを横並びに並設している。
【０００３】
このものは、各分岐ブレーカが2極型であり、1つの入力端子には中性極の分岐バーが分岐接続部で接続され、他方の入力端子には一方の電圧極の分岐バーが分岐接続部で接続されている。
【０００４】
ここで、分岐ブレーカが１極型の場合には、入力端子が幅方向で中央に1つしかなく、２極型の分岐ブレーカとは入力端子の位置が異なるので、分岐ブレーカの数に合わせて別の分岐接続部にわざわざ取り替える必要があった。この場合、中性極の分岐接続部は外す。
【０００５】
また、分岐バーに分岐接続部が一体形成されている場合には、分岐バーを取り替える必要があった。
【０００６】
これに対して、分岐バーに接続ねじを通す孔を長孔として長手方向に移動可能にする構成では、分岐バー自体が大きくなり、省スペース化が図れない。
【特許文献１】特開平8−88912号
【発明の開示】
【発明が解決しようとする課題】
【０００７】
この発明は、かかる事由に鑑みて成されたものであり、その目的とするところは、
1極型の分岐ブレーカが配設されても2極型の分岐ブレーカが配設されても分岐バーを取り替える必要がなく、容易に対応することができる分電盤を提供することにある。
【課題を解決するための手段】
【０００８】
この発明の分電盤は、内器ブロックは箱体内で列設された複数の分岐ブレーカを有しその各分岐ブレーカの入力端子が列の一側に並びかつ出力端子が反対側に並ぶ。主幹バーは前記箱体内に配置されている。複数の分岐バーは前記内器ブロックの前記入力端子側に沿うように配置されて前記分岐ブレーカの前記入力端子に接続される分岐接続部を有する。複数の主幹バーは前記主幹ブレーカの各極の出力端子に接続される。複数の接続ねじおよびナットは前記複数の分岐バーおよび前記複数の主幹バーをそれぞれ接続する。部材は前記ナットを回転不能でかつ反転可能に収納するナット収納部を形成している。
【０００９】
そして、前記分岐バーは前記接続ねじを挿通させる第１のねじ挿通部を有し、
前記主幹バーは前記第１のねじ挿通部に整合して前記接続ねじを挿通させるとともに前記接続ねじが移動可能に前記分岐バーの長手方向に延びた第２のねじ挿通部を有し、
前記ナットは前記接続ねじの先端に螺合する螺合部を中心から前記分岐バーの長手方向に偏心した位置に形成し、前記ナットの反転により前記分岐接続部を前記分岐バーの長手方向に移動可能としたことを特徴とする。  
【００１０】
上記構成において、前記分岐バーは、細長状の導電板により形成され、その幅方向が箱体の底板に対向する方向に配置され、前記第１のねじ挿通部は前記分岐バーに折曲された主幹接続部に形成されている。
【００１１】
上記構成において、前記複数の主幹バーは前記分岐バーに交差する方向に延びるとともに、前記内器ブロックの前記分岐ブレーカの並び方向の一端側に配置され、
前記複数の分岐バーは、前記内器ブロックの前記分岐ブレーカの入力端子に接近離間する方向に並設され、
前記複数の分岐バーと前記主幹バーとの接続関係において、前記複数の分岐バーのうちの一つの分岐バーの前記入力端子と反対側に隣接する他の分岐バーは、前記一つの分岐バーが接続される一つの主幹バーの前記分岐ブレーカの並び方向の他端側に隣接する他の主幹バーと、接続される関係を有する。
【００１２】
上記構成において、前記複数の主幹バーは個々に隔離収納する複数の収納部を有した絶縁部材に支持され、
前記絶縁部材は前記箱板の底板と前記内器ブロックの間で前記内器ブロックに取付けられ、
前記主幹バーは前記絶縁部材と前記内器ブロックとの間に配置されている。                
【００１３】
上記構成において、前記ナット収納部を有する前記部材は前記絶縁部材と一体であり、前記ナット収納部はナットを収納するナット収納凹所と、前記ナット収納凹所に連通して前記接続ねじのねじ部の先端が位置するねじ遊挿凹所と、前記箱体の底板側に突出するねじ配設突部とを有し、前記ねじ配設突部は前記内器ブロックに前記絶縁部材を取着した状態で前記箱体の底板に当接する位置まで突出されている。
【発明の効果】
【００１４】
この発明の分電盤によれば、分岐ブレーカとして例えば２極型のブレーカと１極型のブレーカとのどちらが配設された場合でも分岐バーを取り替える必要がなく、容易に対応することができる。
【００１５】
各分岐バーの幅方向を底板に向けているので、主幹ブレーカの極数が多くなって分岐バーの数が増えた場合、その厚み方向に並設することで対応させることができ、省スペース化が図れる。
【００１６】
主幹バーと分岐バーの接続関係により、各分岐バーを主幹バーに接続する際、各分岐バーを複雑に折曲形成することなく、主幹接続部が各分岐バーの本体に交差しないようにできるので、各分岐バーを簡単に形成でき、各分岐バーの絶縁確保が簡単にできる。
【００１７】
主幹バーを保持する絶縁部材を内器ブロックに取り付けることにより、内器ブロック、絶縁部材および主幹バーを一体化することができ、箱体への着脱作業が容易となる。
【００１８】
ねじ配設突部が底板に当接するため、主幹バーに接続ねじで接続される各部材を外す際、その押圧力を箱体の底板で吸収することができ、もって絶縁部材が破壊され難くなる。
【発明を実施するための最良の形態】
【００１９】
この発明の第１の実施の形態を図１から図１２により説明する。この分電盤は例えば電圧極Ｕ、Ｖ、Ｗと中性極Ｎとの間に負荷を接続する３相４線式配線路に設置される。分電盤は、箱体１内に第１内器ブロック２と、第２内器ブロック３を配設している。  
【００２０】
箱体１は、底板６およびこの四周から立設する上下左右の側板７〜１０を有する一面開口の箱体である。
【００２１】
第１内器ブロック２は、各人出力端子４、５を箱体１の上下側板７、８の方向として複数の分岐ブレーカ２０を箱体１の左右側板９、１０の方向に並べて基板１１上に並設している。基板１１は左右側板９、１０の内側に沿って配設された内器側板１２の底板側に設けた連結片にねじ２１により取付られ、基板１１は底板６から間隔をおいた位置となっている。内器側板１２は箱体１の左右側板９、１０の上側に係止する係止片１３を開口側端部に有し、係止片１３が箱体１の側板９、１０にねじ１４により取付けられている。
【００２２】
基板１１上には複数の２極型の分岐ブレーカ２０が一列に並び、かつその並び方向の一端に主幹ブレーカ１５が設置されている。分岐ブレーカ２０も主幹ブレーカ１５もともに並び方向の一側に入力端子４、１５ａが配置され、他側に出力端子５、１５ｂが配置されている。図２に示すように、基板１１の幅方向の一側に取付爪１７を形成し、中間部に係止片１８を切り起こし、下側に押さえ部１９を設けている。分岐ブレーカ２０の入力端子４側の取付凹部を取付爪１７に係合し、底部の凹部に係止片１８を係合し出力端子５側を押さえ部１９で押さえ固定している。主幹ブレーカ１５も分岐ブレーカ２０と同様に基板１１に取付けられている。
【００２３】
第２内器ブロック３は、第１の内器ブロック２と同じ構成であり、主幹ブレーカ１５が設けられていない点、および主幹ブレーカ１５の位置に分岐ブレーカ２０が設けられている点が異なるのみである。第２内器ブロック３は第１内器ブロック２と所定の配線間隔をおいて平行に配置され、同じ内器側板１２にねじ２１により取付けられている。
【００２４】
複数の第１分岐バー２３〜２６は、本体が細長状の導電板により形成され、第1内器ブロック２の各分岐ブレーカ２０の入力端子４側で各分岐ブレーカ２０の並設方向に延出し、かつ、その幅方向一方側が箱体１の底板６に対向する形として配置されている。本体には後述の主幹バー２７〜３０に接続される主幹接続部３１と、本体から各分岐ブレーカ２０側に突出して各分岐ブレーカ２０の入力端子４に接続される分岐接続部３２とを折曲している。各第１分岐バー２３〜２６は分岐ブレーカ２０に近いものほど長く形成され、主幹接続部３１はその主幹ブレーカ１５側の端部に主幹ブレーカ１５の入力端子１５ａから側板７の方向に折曲されて板厚方向が箱体１の底板６に向くようにし、ほぼ中心に孔などのねじ挿通部３１ａを形成している。なお中性極の分岐バー２６が分岐ブレーカ２０の最も近くに配設されている。
【００２５】
複数の第２の分岐バー３４〜３７も、第１の分岐バー２３〜２６と同構成であるが、主幹ブレーカ１５がない分第１の分岐バー２３〜２６よりも長く、分岐接続数も多い。
【００２６】
複数の主幹バー２７〜３０は、第１内器ブロック２の主幹ブレーカ１５の位置の入力端子１５ａ側から、第1内器ブロック２および箱体１の底板６の間を通って、第2内器ブロック３側へ突出して、各第1分岐バー２３〜２６と各第2分岐バー３４〜３７とに接続される。各主幹バー２７〜３０は、細長状の導電板により形成され、その厚み方向一方側が箱体１の底板６に対向する形で各分岐ブレーカ２０の並設方向に並設されている。各主幹バー２７〜３０の中間部には主幹ブレーカ１５の出力端子１５ｂに接続される接続片４０を有する。接続片４０は主幹バー２７〜３０に立設されるように配置され、主幹バー２７〜３０に近い端部に連結片４７を折曲するとともに連結孔４６を形成し、主幹バー２７〜３０から遠い端部に出力端子接続部４２を折曲している。接続片連結孔４５とこれに整合する連結孔４６にねじ４１が通される。主幹バー２７〜３０の両端には幅方向に接続ねじ４９が移動自在な形状のねじ挿通部として例えば長孔４３を形成し、中間部に位置決め孔４４と接続片連結孔４５を有する。長孔４３にそれぞれ接続ねじ４９が通される。
【００２７】
また各主幹バー２７〜３０は、これらを個々に隔離収納する複数の収納部５１を有した絶縁部材５２に支持され、その絶縁部材５２が主幹ブレーカ１５の位置の基板１１と箱体１の底板６との間に配置されている。絶縁部材５２は、両側に取付片５３を突設し、取付片５３を基板１１の係止片１８の切り起こしにより形成された穴を通して基板１１の穴縁に係止し、ねじ５４（図１）により固定している。絶縁部材５２の各収納部５１は分岐バー２３〜２６、３４〜３７間の相互間隔分、互いに長手方向に順次ずらせて各分岐バー２３〜２６、３４〜３７の主幹接続部３１に対応するように配置している。主幹バー２７〜３０と分岐バー２３〜２６、３４〜３７の接続関係は、主幹バー２７に分岐バー２３、３４が接続され、主幹バー２８に分岐バー２４、３５が接続され、主幹バー２９に分岐バー２５、３６が接続され、主幹バー３０に分岐バー２６、３７が接続されている。すなわち、１つの分岐バーに隣接する分岐バーであって、分岐ブレーカ２０の入力端子４と反対側に位置するものは、上記１つの分岐バーに接続された主幹バーに隣接する主幹バーであって、第１内器ブロック２の分岐ブレーカの並び方向の他端すなわち主幹ブレーカ１５と反対側端部寄りに位置するもの、に接続される関係にある。この結果、絶縁部材５２は各収納部５１における各分岐バーの主幹接続部３１に対応する位置を、分岐ブレーカ２０に一番近い収納部５１から遠い収納部５１の順に箱体１の上側の側板７に近い順としている。各主幹バー２７〜３０が絶縁部材５２に収納された状態では、主幹バー２７〜３０が絶縁部材５２と第1内器ブロック２の間に位置する形で絶縁部材５２を第1内器ブロック２に取着している。この場合、絶縁部材５２の各収納部５１に突起５９を設け、主幹バー２７〜３０の位置決め孔４４を突起５９に嵌合して位置決めしている。
【００２８】
各分岐バー２３〜２６、３４〜３７の主幹接続部３１と各主幹バー２７〜３０とを貫通した接続ねじ４９のねじ部が螺合するナット５６およびねじ４１が螺合するナット５７は、例えば長方体形状であり、絶縁部材５２のナット収納部に収納されている。すなわち、図６に示すようにナット収納部は、各収納部５１にナット５６、５７を回転不能に収納する例えば角形のナット収納凹所６０と、このナット収納凹所６０に連通してねじ部の先端が配設されるねじ遊挿凹所６１とを有し、かつ箱体１の底板６側へ突出するねじ配設突部６２を形成している。ナット５６は螺合部５６ａとなるねじ孔がナット中心から分岐バー長手方向の一方にずれて形成されている。その偏心量はナット５６を反転したときに分岐ブレーカの入力端子４の位置の異なる例えば１極型分岐ブレーカなどの別種の分岐ブレーカの入力端子に対応することができるように決められる。ねじ配設突部６２は、第1内器ブロック２に絶縁部材５２を取着した状態で箱体１の底板６に当接する位置まで突出形成されている。  
【００２９】
第１のカバー６４は第１内器ブロック２および第２内器ブロック３の分岐バー２３〜２６、３４〜３７の相互間に差し込み被覆する。第２のカバー６５は第１のカバー６４に形成された爪６６に対向して設けた孔６７を爪６６に係止して分岐バー２３〜２６、３４〜３７の露出部を被覆する。第３のカバー６８は第１内器ブロック２の分岐バー２３〜２６の主幹接続部側端部に差し込み被覆する。第４のカバー７０は分岐バー２３〜２６の主幹接続部３１と反対側の端部を被覆し、ねじ３１で基板１１に固定している。第５のカバー７２は主幹バー２７〜３０の接続片４０と第２内器ブロック３の主幹接続部側端部を被覆するもので、絶縁部材５２の両側に形成した爪７３にカバー７２に形成した孔７４を係止して取付けている。絶縁板７５は絶縁部材５２の主幹バー２７〜３０と基板１１の係止片１８の切り起こし部分との間に介在されるもので、絶縁部材５２に形成した爪７６に絶縁板７５の孔７７を係止して固定する。  
【００３０】
図１２は分電盤の箱体１を蓋７８で閉じた状態であり、蓋７８を通して分岐ブレーカ２０および主幹ブレーカ１５のハンドルが見える透光部７９を有する。
【００３１】
この実施の形態によれば、上下の第１内器ブロック２および第２内器ブロック３の分岐ブレーカ２０毎に分岐バー２３〜２６、３４〜３７を設けたので、上下どちらの分岐ブレーカ２０であっても、どの電圧極でも容易に接続することができる。また、主幹バー２７〜３０が第1内器ブロック２の各分岐ブレーカ２３〜２６よりも上側から第2内器ブロック３側へ突出しているので、第1分岐バー２３〜２６と第2分岐バー３４〜３７とを主幹バー２７〜３０に接続し易くすることができる。さらに、主幹バー２７〜３０を第1内器ブロック２と箱体１の底板６との間に配設しているので、主幹バー２７〜３０の表面側となる基板１１上にも主幹ブレーカ１５や分岐ブレーカまたは他の部材を配設することができ、省スペース化が図れる。
【００３２】
主幹ブレーカ１５も第1内器ブロック２および第2内器ブロック３と内器側板１２を介して一体化して配設することができ、更なる省スペース化が図れる。
【００３３】
主幹バー２７〜３０に対して箱体１の開口側から主幹ブレーカ１５や各分岐バー２３〜２６を接続することができ、主幹バー２７〜３０への接続作業が容易となる。また、各分岐バー２３〜２６の幅方向を底板６に向く方向としているので、極数が多くなって分岐バーの数が増えた場合、その厚み方向に並設することで対応させることができ、省スペース化が図れる。
【００３４】
各分岐バー２３〜２６、３４〜３７を主幹バー２７〜３０に接続する際、各分岐バー２３〜２６、３４〜３７を複雑に折曲形成することなく、主幹接続部３１が各分岐バー２３〜２６、３４〜３７の本体に交差しないようにできるので、各分岐バー２３〜２６、３４〜３７を簡単に形成でき、各分岐バー２３〜２６、３４〜３７の絶縁確保が簡単にできる。
【００３５】
第1内器ブロック２、第2内器ブロック３、絶縁部材５２、主幹バー２７〜３０を一体化することができるので、箱体１への着脱作業が容易となる。
【００３６】
主幹バー２７〜３０にねじ４１、４９で接続される各部材を外す際、底板６に当接するねじ配設突部６２により、その押圧力を箱体の底板６で吸収することができ、もって絶縁部材５２が破壊され難くなる。
【００３７】
ナット５６の螺合部５６ａを偏心しているので、ナット５６をナット収納凹所６０に反転して収納することにより、ナット５６に接続ねじ４９が螺合されることにより主幹バー２７〜３０に接続される分岐バー２３〜２６、３４〜３７を例えば１極型の分岐ブレーカの入力端子に接続することができる。
【００３８】
この発明の第２の実施の形態を図１３から図１９により説明する。まず、第１の実施の形態と共通する部分に同一符号を付している。第１の実施の形態と大きく異なる点は、分岐ブレーカが１極型である点である。第１の実施の形態の２極型の分岐ブレーカ２０の入力端子４は幅方向の中心から寸法Ｈずれて両側に配置されている（図１）。これに対して、１極型の分岐ブレーカ８０では入力端子４が幅方向の中心に位置する。
【００３９】
一方、ナット５６の偏心量は寸法Ｈ／２である。このため、ナット５６を反転すると、ナット５６の螺合部５６ａが図５に示す位置から図１８に示す位置へ寸法Ｈだけ左寄りとなる。これに伴い、ナット５６に螺合する接続ねじ４９および分岐バー２３〜２６、３４〜３７の分岐接続部３２の位置が寸法Ｈだけずれ、分岐接続部３２が１極型分岐ブレーカ８０の入力端子４に接続可能となる。
【００４０】
また、この分電盤は３相４線式配線路に使用される場合を考慮して、３本の分岐バー２３〜２５、３５〜３７としており、負荷への中性極は図示しないが、図１３の主幹ブレーカの左側に配設され主幹ブレーカの出力端子に接続された端子台の端子に接続される。
【００４１】
その他の構成は、第１の実施の形態と同様であるため説明を省略する。
【００４２】
なお、分岐バーは２極型と１極型の分岐ブレーカに共用できる場合に限らず、入力端子の位置が異なる分岐ブレーカ間に共用可能である。
【図面の簡単な説明】
【００４３】
【図１】この発明の第１の実施の形態の分電盤の蓋を開きカバー等を外した状態の正面図である。
【図２】そのＡ−Ａ線断面図である。
【図３】主幹バーのカバー等を外した状態の斜視図である。
【図４】その分解斜視図である。
【図５】主幹バーの平面図である。
【図６】主幹バーの断面図である。
【図７】第１内器ブロックの主幹ブレーカを外した状態の分解斜視図である。
【図８】その組立状態の斜視図である。
【図９】第２内器ブロックの分解斜視図である。
【図１０】その組立状態の斜視図である。
【図１１】分電盤の蓋を開いた状態の正面図である。
【図１２】分電盤の蓋を閉じた状態の正面図である。
【図１３】第２の実施の形態の分電盤の蓋を開きカバー等を外した状態の正面図である。
【図１４】第１内器ブロックの主幹ブレーカを外した状態の分解斜視図である。
【図１５】その組立状態の斜視図である。
【図１６】第２内器ブロックの分解斜視図である。
【図１７】その組立状態の斜視図である。
【図１８】絶縁部材の平面図である。
【図１９】分岐バーと主幹バーの接続部の断面図である。
【符号の説明】
【００４４】
１    箱体
２    第１内器ブロック
３    第２内器ブロック
４    入力端子
５    出力端子
６    底板
１１    基板
１５    主幹ブレーカ
２０    分岐ブレーカ  
２３〜２６  第１分岐バー
２７〜３０  主幹バー  
３１    主幹接続部
３１ａ  ねじ挿通部
３２    分岐接続部
３４〜３７  第２分岐バー
４３    長孔
４９    接続ねじ
５１    収納部
５２    絶縁部材５６    ナット
５６ａ  螺合部
６０    ナット収納凹所
６１    ねじ遊挿凹所
６２    ねじ配設突部
８０    分岐ブレーカ
【図１】
2006271173.tif 000003
【図２】
2006271173.tif 000004
【図３】
2006271173.tif 000005
【図４】
2006271173.tif 000006
【図５】
2006271173.tif 000007
【図６】
2006271173.tif 000008
【図７】
2006271173.tif 000009
【図８】
2006271173.tif 000010
【図９】
2006271173.tif 000011
【図１０】
2006271173.tif 000012
【図１１】
2006271173.tif 000013
【図１２】
2006271173.tif 000014
【図１３】
2006271173.tif 000015
【図１４】
2006271173.tif 000016
【図１５】
2006271173.tif 000017
【図１６】
2006271173.tif 000018
【図１７】
2006271173.tif 000019
【図１８】
2006271173.tif 000020
【図１９】
2006271173.tif 000021